(57)【特許請求の範囲】
【請求項１】
戸枠に対して吊元竪框側に取付けられた軸端及び軸受を介して回動自在に取付けられている戸において、一端が下框に取り付けられている前記軸受の側面に設けられている係着突起に係着され、その一端を中心にして他端が上下方向に調整可能に下框の戸先竪框側の側面に調整固定される下框アタッチに、水密材を取付けたことを特徴とする戸の下框の取合調整構造。
【請求項２】
前記下框を下向きコ字状に形成して、前記下框アタッチを収容したことを特徴とする請求項１に記載の戸の下框の取合調整構造。
【請求項３】
前記戸は、浴室と脱衣室間に配置されていることを特徴とする請求項１に記載の戸の下框の取合調整構造。
【請求項４】
前記水密材は、外側水密材と、内側水密材からなることを特徴とする請求項１に記載の戸の下框の取合調整構造。
【発明の詳細な説明】
【０００１】
【発明の属する技術分野】
本発明は、湯、水を使う浴室等の空間と、水分の浸入を嫌う脱衣室等の空間の間に配置される戸の下框の取合調整構造に関する。
【０００２】
【従来の技術】
従来、浴室の床面と脱衣室の床面とが同一又は略同一のレベルになるように構成されている場合、戸枠の下枠内に水を導入してそこから下部に排水するか、または脱衣室側にゴム等を立ち上げて止水性を確保すること等により、脱衣室側に水が浸入するのを防いでいる。
【０００３】
【発明が解決しようとする課題】
しかしながら、戸枠や戸の対角が不良であること等に起因して、戸枠に戸を取付けた場合に戸枠の下枠と戸の下框間に許容範囲を超えた隙間が出来てしまう場合があり、水密構造に悪影響を与えるおそれがあった。
また、戸枠や戸の対角が不良であること等に起因して、戸枠の下枠と戸の下框間の隙間が狭くなりすぎると、使い勝手が悪くなってしまう場合があった。
【０００４】
そこで、本発明は上記問題点を解決するためになされたもので、簡単な構造によって、戸枠の下枠と戸の下框間の取合いを調整できるようにし、水密性に優れ、また使い勝手が良好な戸を提供することを目的とする。
【０００５】
【課題を解決するための手段】
請求項１に記載の発明は、戸枠に対して吊元竪框側に取付けられた軸端及び軸受を介して回動自在に取付けられている戸において、一端が下框に取り付けられている前記軸受の側面に設けられている係着突起に係着され、その一端を中心にして他端が上下方向に調整可能に下框の戸先竪框側の側面に調整固定される下框アタッチに、水密材を取付けたことを特徴とする戸の下框の取合調整構造である。
戸枠や戸の対角が不良であること等に起因して、戸枠の下枠と戸の下框間に設計許容範囲を超えた隙間が出来てしまっても、前記下框アタッチの上下位置を調整することにより、その隙間を修正することができる。
【０００６】
請求項２に記載の発明は、前記下框を下向きコ字状に形成して、前記下框アタッチを収容したことを特徴とする戸の下框の取合調整構造にした。
この発明によれば、下框アタッチが下框内に隠れるので、意匠的に優れている。
【０００７】
請求項３に記載の発明は、前記戸は、浴室と脱衣室間に配置されていることを特徴とする戸の下框の取合調整構造にした。この発明によれば、浴室の床面と脱衣室の床面とが同一又は略同一のレベルであっても、浴室の水密性を向上させることができる。
上記発明において、前記水密材は、外側水密材と、内側水密材からなることを特徴とする戸の下框の取合調整構造とした（請求項４に記載の発明）。
【０００８】
【発明の実施の形態】
以下に、本発明の実施の形態について図面を参照しつつ詳細に説明する。
図１は本発明にかかる戸の正面図、図２は同中央縦断面図、図３は同中央横断面図、図４は同正面図における要部断面図、図５は同要部斜視図である。
これらの各図において、同一の構成は同一の符号を付して、重複した説明を省略する。
【０００９】
実施形態に係る戸１は、吊元竪框１０、戸先竪框１１、上框１２及び下框１３からなる開き戸であり、浴室Ｂと脱衣室Ｕとの間に取付けられている。
前記下框１３の内側には水密材３を取付けた下框アタッチ２が配置され、このアタッチ２の一端は、前記吊元竪框１０側に設けられた係着突起２０に係着され、その一端が中心となって、アタッチ２の他端が上下自在に構成されている。よって、戸枠４の下枠４０と下框１３の取合いが調整できる構造になっている。
【００１０】
前記浴室Ｂの床面と前記脱衣室Ｕの床面とは同一又は略同一のレベルになるように構成されて、バリアフリーとなっているが、両室間に段差が設けられている場合に、前記取合調整構造を採用してもよい。
また、前記戸１は浴室Ｂと脱衣室Ｕとの間に適用するが、本発明は浴室の戸に限定されるものではなく、水が使われる空間と水の浸入が嫌われる空間の間に取付けられる戸に適用される。
【００１１】
前記戸１は、前記上框１２及び戸枠４の上枠４１に取付けられた軸端及び軸受（以下、単に上部ピボットという）５と、前記下框１３及び戸枠４の下枠４０に取付けられた軸端及び軸受６（以下、単に下部ピボットという）によって、吊込まれている。
前記下框１３の下部１３０は、図２等に図示したように下向きコ字状に開口され、前記アタッチ２が出没可能に構成されていると共に、下部１３０に取付けられた前記下部ピボット６の側面６０に前記係着突起２０が設けられている。一方、前記下部１３０の吊先竪框１１側の側面には、縦長の長孔７が形成されている（図５参照）。
そして、前記長孔７に沿って調整ねじ８を上下に移動させて、前記下框アタッチ２の位置が調整固定されるようになっている。
【００１２】
前記アタッチ２は、図２、図４及び図５に図示されているように、前記係着突起２０が差込まれる係着部２１、前記調整ねじ８が螺合される螺合部２２、前記水密材３を構成する外側水密材３０を取付ける取付サヤ２３、内側水密材３１を取付ける取付サヤ２４を備え、例えばアルミ長尺形材からなっている。
そして、前記アタッチ２の側面が前記下部１３０の内壁に沿い、他方の側面が前記下部１３０に取付けられた止水壁９等に沿って、上下方向にスライドできるようになっている。
【００１３】
前記アタッチ２を前記下框２に固定するには、予めアタッチ２の吊元側端部２５の係着部２１を前記係着突起２０に差込み、且つ、前記長孔７に取付けた前記調節ネジ８によってアタッチ２の戸先側端部２６を仮止めしておく。その上で、前記上下部ピボット５、６を介して戸枠４に前記戸１を吊込む。
その後、各現場の下枠４０の施工状態を見て、仮止めしている前記ネジ８を上下させて調整を行い、水密材３と下枠４０の取合いを調整しつつ、緊結すればよい。
前記戸１においては、その荷重が集中する下部ピボット６の位置で、下枠４０と下框２の隙間が確定されるため、下部ピボット６に係着突起２０を設け、この位置を前記アタッチ２取付けの基準点にしている。
【００１４】
前記アタッチ２は、意匠性を高めるため下框２内に収容可能にしたが、この構成に限定されることはない。またその形状も、前記水密材３等を取付けることができれば、どのよう形状でもよい。
さらに、前記アタッチ２の固定構造は、前記係着突起２０、前記長孔７とネジ８の構成に限定されるものではない。
【００１５】
前記外内側水密材３０、３１は、シリコンゴム、スポンジ、中空ゴム、ヒレゴムなどで製造されており、前記外側水密材３０は、水切片３００を備えた板状水密材と、下枠４０との接地面積を大きく取った三角状水密材とからなっている。なお、「３２」で示すものは、前記戸１が閉まる段階で起立する止水材である。
【００１６】
次に、前記戸１の取合調整構造の使用例を説明する。
吊込まれた戸１の前記下框１３の前記下枠４０に対する当たりが弱い場合、即ち、図６に示したように、戸枠４に戸１を吊込んだ場合に、吊元側から戸先側に隙間が広がるようなときは、戸先側から水漏れする恐れがあるので、前記アタッチ２を下げるようにする。
一方、戸１の下框１３に対する当たりが強い場合、即ち、図７に示したように、戸枠４に戸１を吊込んだ場合に、吊先側から戸元側に隙間が広がるようなときは、前記アタッチ２を上げるようにする。
よって上記戸の下框の取合調整構造によれば、微細な「ずれ」（約±４ｍｍ）を適宜修正することができる。特に、当たりが弱い場合には、前記アタッチ４を下げるようにして、戸１の水密性を高めることができる。
【００１７】
なお、本発明にかかる開き戸の下框の取合調整構造はバリアフリーの浴室と脱衣室との間の戸に適用されるが、それ以外に、シャワー室と脱衣室等間に取付けられる戸に適用される。また、前記戸は開き戸でもよいし、折り戸でも良い。
【００１８】
【発明の効果】
請求項１及び請求項４に記載の発明によれば、戸枠や戸の対角が不良であること等に起因して、戸枠の下枠と戸の下框間に設計範囲を超えた隙間が出来てしまっても、前記下框アタッチの上下位置を調整することにより、その隙間を修正することができる。戸枠に戸を吊込んだ場合に、吊元側から戸先側に隙間が広がるようなときは、下框アタッチを下げれば戸の水密性を高めることができる。逆に、吊元側から戸先側に隙間が狭まるようなときは、下框アタッチを上げれば、使い勝手がよい戸となる。
【００１９】
請求項２に記載の発明によれば、上記作用効果に加え、下框アタッチが下框内に隠れるので、意匠的に優れている。
【００２０】
請求項３に記載の発明によれば、上記作用効果に加え、浴室の床面と脱衣室の床面とが同一又は略同一のレベルであっても、浴室の水密性を向上させることができる。
【図面の簡単な説明】
【図１】実施形態にかかる戸の正面図である。
【図２】同中央縦断面図である。
【図３】同中央横断面である。
【図４】同正面図の要部断面図である。
【図５】同要部の斜視図である。
【図６】同戸の使用説明図である。
【図７】同戸の使用説明図である。
【符号の説明】
１  戸
１０  吊元竪框                  １１  戸先竪框
１２  上框                      １３  下框
１３０  下部
２  下框アタッチ                ２０  係着突起
２１  係着部                    ２２  螺合部
２３  ２４  取付サヤ
３  水密材                      ３０  外側水密材
３１  内側水密材                ３００  水切片
３２  止水材
４  戸枠                        ４０  下枠
４１  上枠
５  ６  上下部ピボット          ６０  面
７  長孔                        ８  調整ねじ
９  止水壁
【図１】
0003878489.tif 000002
【図２】
0003878489.tif 000003
【図３】
0003878489.tif 000004
【図４】
0003878489.tif 000005
【図５】
0003878489.tif 000006
【図６】
0003878489.tif 000007
【図７】
0003878489.tif 000008